(57)【要約】【課題】必要なサイズに自由に組み立てできるとともに、繰り返し再使用可能なコンクリートブロック製構造物を提供することを目的とする。【解決手段】所定の高さに積層されたコンクリートブロックの上端部と下端部にそれぞれ連結用枠を配置し、該連結用枠に設けられた１ケ所もしくは複数のボルト穴と、該ボルト穴に対応するコンクリートブロックの連通孔に上下連結用枠を略均一に締め付ける加圧用ボルトを連通挿入し、連結用枠でコンクリートブロックを締め付け一体化した。【選択図】        図１
2005068637.tif 000002
【特許請求の範囲】
【請求項１】
所定の高さに積層されたコンクリートブロックの上端部と下端部にそれぞれ連結用枠を配置し、該連結用枠に設けられた１ケ所もしくは複数のボルト穴と、該ボルト穴に対応するコンクリートブロックの連通孔に上下連結用枠を略均一に締め付ける加圧用ボルトを連通挿入し、連結用枠でコンクリートブロックを締め付け一体化したことを特徴とするコンクリートブロック構成体。
【請求項２】
該連結用枠をパイプまたは平板状の部材で構成したことを特徴とする請求項１記載のコンクリートブロック製構造物。
【請求項３】
該下端部の連結用枠の下面部側の４隅に脚用の短管を該下端部の連結用枠と重畳的になるように固着したことを特徴とする請求項１および請求項２記載のコンクリートブロック製構造物。
【請求項４】
各ネジ棒の先端部を枠状に形成した枠状連結金具の両側辺に挿通し、各ネジ棒の先端にナットを螺合するとともに、各ネジ棒の他端部にそれぞれ係止用金具に挿通して先端にナットを螺合した一対の連結金具と、該連結金具をそれぞれコンクリートブロックに開口する貫通開口部を挿通して積層されたコンクリートブロックを上下から締め付け可能とし、下部に位置する該係止用金具に挿通してナットを螺合して固定したアンカーボルトで構成したことを特徴とするコンクリートブロック製構造物。
【請求項５】
笠置ブロックを積層されたコンクリートブロックの上部に載置可能なように該上部に位置する該係止用金具に笠置ブロックに取り付けられた係止部材を係止する係止孔を穿設したことを特徴とする請求項４記載のコンクリートブロック製構造物。
【発明の詳細な説明】
【０００１】
【発明が属する技術分野】
本発明は、積層されたコンクリートブロックを連結金具で締結したコンクリートブロック製構造物に関するものである。
【０００２】
【従来の技術】
従来、コンクリートブロックを積み重ねて塀にしたり、あるいは、図８、９に示す如く、コンクリート製型枠にモルタルを流し込んでコンクリート製プランター１００などを作る場合があった。例えば、コンクリート製プランター１００については、所定の規格寸法の内型枠１０２と外型枠１０４を一定幅の間隔を保持したまま組み立てて矩形状の空間部を成形し、その空間部に縦・横・底の各方向に必要本数の鉄筋１０６を組み立てた後、モルタルを流し込んで固化した後、内型枠１０２と外型枠１０４を取り外して製作していた。なお、符合１０８は水抜き孔を示す。
【０００３】
【発明が解決しようとする課題】
しかしながら、従来のコンクリートブロック塀は、コンクリートブロックを積み重ねる（積層）際に、セメントモルタルを塗りながら積み重ねるために、コンクリートブロック塀を再構築しようとすると、一度作ったコンクリートブロック塀を壊さなければならず、壊すために多大な時間を要していた。また、再構築しようとすると新しいコンクリートブロックを用いた塀が必要となり、無駄な上にコストがかかり、非効率であるといった問題があった。
【０００４】
一方、従来のコンクリート製プランター１００は、コンクリート製で重いために最低二人で持ち運びする必要があるため人手を要するとともに、必要に応じて大・中・小の様々なサイズのものを作らなければならず、使用しない場合には収納場所を確保しなければならないといった問題があつた。
【０００５】
本発明は、このような問題点に鑑みてなされたもので、必要なサイズに自由に組み立てできるとともに、繰り返し再使用可能なコンクリートブロック製構造物を提供することを目的とする。
【０００６】
【課題を解決するための手段】
上記課題を解決するために、本発明に関する第１の発明では、所定の高さに積層されたコンクリートブロックの上端部と下端部にそれぞれ連結用枠を配置し、該連結用枠に設けられた１ケ所もしくは複数のボルト穴と、該ボルト穴に対応するコンクリートブロックの連通孔に上下連結用枠を略均一に締め付ける加圧用ボルトを連通挿入し、連結用枠でコンクリートブロックを締め付け一体化した。
【０００７】
また、第１の発明を主体とする第２の発明では、該連結用枠をパイプまたは平板状の部材で構成した。さらに、第１の発明と第２の発明を主体とする第３の発明では、該下端部の連結用枠の下面部側の４隅に脚用の短管を該下端部の連結用枠と重畳的になるように固着した。第４の発明では、各ネジ棒の先端部を枠状に形成した枠状連結金具の両側辺に挿通し、各ネジ棒の先端にナットを螺合するとともに、各ネジ棒の他端部にそれぞれ係止用金具に挿通して先端にナットを螺合した一対の連結金具と、該連結金具をそれぞれコンクリートブロックに開口する貫通開口部を挿通して積層されたコンクリートブロックを上下から締め付け可能とし、下部に位置する該係止用金具に挿通してナットを螺合して固定したアンカーボルトで構成した。さらに、第４の発明を主体とする第５の発明では、笠置ブロックを積層されたコンクリートブロックの上部に載置可能なように該上部に位置する該係止用金具に笠置ブロックに取り付けられた係止部材を係止する係止孔を穿設した。
【０００８】
【発明の実施の形態】
以下に、本発明に係るコンクリートブロック製構造物の具体的実施形態を図面を参照して詳細に説明する。図１は本発明におけるコンクリートブロック製プランターの斜視図、図２は本発明におけるコンクリートブロック製プランターの分解図、図３は笠置きブロック取り付け孔を有した連結金具を用いた場合のコンクリートブロック塀の斜視図、図４はコンコリートブロックをアンカーボルトとネジ棒が一本で構成されている連結金具で連結した塀の斜視図、図５はコンコリートブロックを連結金具のみで連結した塀の斜視図、図６は笠置きブロック取り付け孔を有した連結金具の正面図、図７はアンカーボルト付き連結金具の正面図である。
【０００９】
まず、図１、２でコンクリートブロック製構造物の一例としてコンクリートブロック製プランター１の場合について述べる。本発明に係るコンクリートブロック製プランター１は、市販されているコンクリートブロック３を上下に積層した後、連結金具１２を用いて連結することにより木や花などを植えることのできる大型のプランター１として用いることができる。また、コンクリートブロック製プランター１の連結金具１２を取り外すことにより、コンクリートブロック３を傷つけることなく、再度使用することができる特徴がある。
【００１０】
図１に本発明におけるコンクリートブロック製プランターの斜視図を示す。図１に示すコンクリートブロック製プランター１は、３段に積層されており、積層されたコンクリートブロック３の側面部には、表面が平坦状のコンクリートブロック３が位置するように配設するとともに、コンクリートブロック３の上端部５と下端部７にそれぞれ凹部状の溝９を有する該コンクリートブロック３を配列して連続した溝９を有する周回路１１を形成している。この周回路１１にパイプ状または平板状の部材を枠状に連結した連結用枠１３が装着されている。
【００１１】
コンクリートブロック３が積層成形されたコンクリートブロック製プランター１は、通常の市販サイズのコンクリートブロック３Ａと、この市販サイズのコンクリートブロックを適宜な長さサイズに切断した切断ブロック３Ｂとで構成されている。因みに、図１に示すコンクリートブロック製プランター１には、例えば、長さ４００ｍｍ×幅１２０ｍｍ×高さ１８５ｍｍの大きさのコンクリートブロック３Ａを使用して構築してある。
【００１２】
このように積層されたコンクリートブロック３の締め付けをする場合には、図２に示す連結金具１２を使用して引張力を付与し、コンクリートブロック３間に加圧力を加えることで一体化できるのである。まず、図２に示す連結金具１２は、連結用枠１３（Ａ、Ｂ）、ワッシャ１４、ネジ棒１５、ナット２１および底部部材２３から構成されている。棒状のネジ棒１５の両端部にはネジが刻設されており、コンクリートブロック３の貫通開口部１７を挿通した上、さらにこのコンクリートブロック３の上端部５と下端部７に凹部状の連続した溝９で結成された周回路１１上に連結用枠１３（Ａ、Ｂ）が配設してある。連結用枠１３（Ａ、Ｂ）の縦方向に貫通された穿設孔１３ａが穿設されており、ネジ棒１５の先端部が穿設孔１３ａを挿通するようになっている。このネジ棒１５の先端部にワッシャ１４を介した上でナット２１が螺合してある。なお、連結用枠１３（Ａ、Ｂ）にはパイプまたは細長い平板状の部材のものが使用できる。
【００１３】
連結用枠１３Ｂには、横方向に貫通された穿設孔（図示略）が穿設されており、ここに底部部材２３を穿設孔に挿通して井桁状（図２では縦・横に各３本）に配設され、底部部材２３の両端部をナット２５で螺合されている。また連結用枠１３Ｂの下面部側の４隅には脚用短管２７が連結用枠１３Ｂと重畳的になるように固着してある。プランターとして使用する場合は、井桁状に配設した底部部材２３の上に水はけの孔が複数個開口されている底板（図示略）を載置した状態で、その底板上に土を入れて花や木を植えるとプランターとして使用することができる。
【００１４】
次に、図３を用いて笠置きブロック取り付け孔を有した連結金具を用いた場合のコンクリートブロック塀について説明する。図３のように上下方向に多段（本実施例では４段と３段）状に積層されているコンクリートブロック塀２９には、図６に示す連結金具３０が使用できる。図６に示す連結金具３０は、ネジ棒３２、３３、係止用金具３５（ａ、ｂ）、枠状連結金具３７およびアンカーブロック４１から構成されている。
【００１５】
図６に示すように相隣り合うコンクリートブロック３の貫通開口部１７（図１）にそれぞれ連結金具３０が一組配設されている。枠状連結金具３７の長手方向の対向する端部にネジ棒３２、３３の他端部３２ｂ、３３ｂが螺合され、対向方向に突出させている。このネジ棒３２、３３は、右ネジと左ネジとからなる金属製のボルトを使用し、その頭部３２ａ、３３ａ側を係止用金具３５ｂの穿設孔に挿通され、ナット３９が螺合されている。
【００１６】
そして、積み重ねられた相隣り合うコンクリートブロック３の貫通開口部１７（図１）にネジ棒３２、３３を挿通して、係止用金具３５ａで連結されている。ナット３９のネジ込み量を調整して上下方向に多段状に積層されたコンクリートブロック３を上下方向に締め付けてコンクリートブロック３を固定するようになっている。
【００１７】
上下の係止用金具３５（ａ、ｂ）には、それぞれ外方向に向けて凸状に加工してあり、コンクリートブロック３の上部に配設された係止用金具３５ａの凸状部には、笠置きブロック４５の端部側に偏って埋め込まれた笠置きブロック４５の固定用の係止部材４７が係止用金具３５ａに穿設された長孔状の係止孔４９（図３，５）に係止した後、図中６に矢印に示す方向に笠置きブロック４５を引っ張ることにより、笠置きブロック４５がコンクリートブロック３の上端部５（図３，４，５）に固定されるようになっている。
【００１８】
また、コンクリートブロック３の下部に配設された係止用金具３５ｂの凸状部には、係止用金具３５ｂに穿設された係止孔（図示略）にアンカーボルト４１の上端部に刻設されたネジ５１が螺合され、ナット４３で係合されている。アンカーボルト４１の下端部はＬ型に曲げられてコンクリートブロック塀２９の基礎の部分に埋設され、コンクリートブロック塀２９の傾転を防止する役目を担うようになっている。
【００１９】
図３に示すように４段積みコンクリートブロック塀２９の一部に３段積みコンクリートブロック塀２９をＬ状に形成する場合にも利用することができる。また、コンクリートブロック塀２９の角部には、コンクリートブロック塀２９同士がＬ状に接合するために、Ｌ型の係止用金具３５ａで係止されている。
【００２０】
次に、図４について説明する。図４は、コンコリートブロックをアンカーボルトとネジ棒が同一軸線をなして一本となっている連結金具で連結した塀の斜視図であり、図３と異なる部分のみを説明する。
【００２１】
図４に示す連結金具３０は、ネジ棒３３とアンカーボルト４１が同一軸線上に位置するような構成をなす。また、ネジ棒３２、３３枠状連結金具３７と組み立てされた状態でコンクリートブロック３の貫通開口部１７（図１）を挿通した後、コンクリートブロック３の上端部５と下端部７の溝９で単一孔を有する係止用金具３５（ａ、ｂ）で連結されている。
【００２２】
図５は、アンカーボルト４１を使用しない場合であり、図３と異なる部分についてのみ簡単に説明する。図５は、図３に示す４段積みコンクリートブロック塀２９にコンクリートブロック塀２９の基礎の部分にアンカーボルト４１を埋設しない場合を示す。このため、図５に示す４段積みコンクリートブロック塀２９は傾転を防止する役目を担うためのものではなく、特に仮置き用のコンクリートブロック塀２９の役目を有するものとなっている。このため、係止用金具３５ｂにはアンカーボルト４１を螺合して係止する係止孔が穿設されていない。
【００２３】
図７はアンカー付き連結金具の正面図であり、図６と異なる部分について説明する。上下の係止用金具３５（ａ、ｂ）には、それぞれ上下方向の外方向に向けて凸状に加工してあり、コンクリートブロック３の上部に配設された係止用金具３５ａの凸状部には、笠置きブロック４５が取り付けられるような長孔状の係止孔４９は穿設されていない。
【００２４】
上下の係止用金具３５（ａ、ｂ）の両端部には、それぞれネジ棒３２、３３を挿通するとともに、係止用金具３５（ａ、ｂ）の両端部で連接棒５３または連接板５３にネジ棒３２、３３を挿通した後、重畳的に連結されている。なお、連接棒５３または連接板５３と係止用金具３５（ａ、ｂ）と連結したものは、コンクリートブロック３の凹部状の溝９に枠状に配設することで、コンクリートブロック３同士の横方向の連結を強固にするものとなっている。
【００２５】
このように構成されたコンクリートブロック製プランター１とコンクリートブロック塀２９のうち、前者のコンクリートブロック製プランター１の組み立てを図２を用いて説明する。
【００２６】
まず、最下部に配設された連結用枠１３Ｂの挿通孔１３ａにネジ棒１５の下端部が位置するまで挿通する。図２に示すように８本全てのネジ棒１５の下端部からワッシャ１４を挿通し、最後にナット２１を螺合させておく。次いで、６本全ての底部部材２３を横方向に穿設された挿通孔（図示略）に挿通した後、底部部材２３の両端部に刻設されたネジにナット２５を螺合させた後、全てのナット２５を締め付けておく。
【００２７】
８本のネジ棒１５にコンクリートブロック３の貫通開口部１７を挿通しながらコンクリートブロック３の溝９が連結用枠１３Ｂの上で係合するようにゆっくりと降ろす。コンクリートブロック３同士が隣接するようにコンクリートブロック３の下端部７の溝９と連結用枠１３Ｂとが係合するように載置しながら次々に配設していく。
【００２８】
３段積みコンクリートブロック塀２９の内、最下部に位置するコンクリートブロック３が矩形状になるように配列が完了すると、中間部に位置するコンクリートブロック３を積層する前に最下部のコンクリートブロック３上にシリコン状の接着剤を塗布する。これは、コンクリートブロック３を上・中・下と積層して連結金具１２で締め付けた場合、コンクリートブロック３同士間に大きい圧縮力が作用し、コンクリートブロック３が欠けることを防止するためのクッション剤としての役目を有する。
【００２９】
最下部のコンクリートブロック３の上端部上にシリコン状の接着剤を塗布すると、次いでネジ棒１５の一本一本が中間部に位置するコンクリートブロック３の貫通開口部１７を挿通しながらゆっくりと載置する。
【００３０】
この時、最下部に位置するコンクリートブロック３同士が相隣接する接合面と中間部に位置するコンクリートブロック３同士が相隣接する接合面とが同一接合面上に位置しないように、コンクリートブロック３の約１／３程度の長さだけ横方向にズラしてある。
【００３１】
中間部のコンクリートブロック３の上端部上にシリコン状の接着剤を塗布すると、次いで最上部に位置するコンクリートブロック３を中間部のコンクリートブロック３上に８本のネジ棒１５の一つ一つにコンクリートブロック３の貫通開口部１７を挿通しながらゆっくりと載置する。この時、前記同様にコンクリートブロック３同士が中間部と最上部の相隣接するコンクリートブロック３の接合面とが同一接合面上に位置しないように、コンクリートブロック３の約１／３程度の長さだけ横方向にズラしてある。
【００３２】
最上部に配設された連結用枠１３の挿通孔１３ａからネジ棒１５の上端部が出ていることを確認する。次いで、図２に示すように８本全てのネジ棒１５の上端部からワッシャ１４を挿通し、最後にナット２１を螺合させた後、ナット２１を締め付けてコンクリートブロック３を上下方向に締め付けて固定する。
【００３３】
コンクリートブロック製プランター１の組み立てが完了すると、井桁状に配設した底部部材２３の上に水はけの孔が複数個開口されている底板（図示略）を載置し、その底板上に土を入れて花や木を植えるとプランターとして使用する。
【００３４】
このようなコンクリートブロック製プランター１を分解する場合は、前述した説明の反対の作業を行うとよく、また分解した後は、コンクリートブロック３からシリコン状の接着剤を簡単に取り除くことができ、再度組み立ても容易にできる。
【００３５】
次いで、図３および図６を代表してコンクリートブロック塀２９の組み立てについて説明する。
【００３６】
まず、係止用金具３５ｂの略中央部に穿設された穿設孔に下方部からＬ型のアンカーボルト４１のネジ５１の部分を螺合した後、ナット４３で係止しておく。
次いで、枠状連結金具３７の長手方向の対向する端部にネジ棒３２、３３の両端部３２ｂ、３３ｂをそれぞれ螺合させ、対向方向に突出させる。ネジ棒３２、３３の頭部３２ａ、３３ａ側が係止用金具３５ｂの下端部から出るまで挿通する。
最後にナット３６をそれぞれのネジ棒３２、３３の頭部３２ａ、３３ａに螺合する。
【００３７】
以上の作業が完了すると、基礎部分にコンクリートを打設し、ここに係止用金具３５ｂが打設されたコンクリートの表面部と略同一面になる程度までアンカーボルト４１の部分を上方から埋め込む。打設されたコンクリートが固化すると、連結金具３０がコンクリート表面から突き出た状態になっていることを確認する。
【００３８】
相隣り合うコンクリートブロック３の貫通開口部１７がネジ棒３２、３３を同時に挿通するようにしながらコンクリートブロック３を一段づつ積み重ねる。コンクリートブロック３の積み重ねが完了すると、相隣り合うコンクリートブロック３の貫通開口部１７の上端部から出てきたネジ棒３２、３３の頭部３２ａ、３３ａに係止用金具３５ａの穿設孔を挿通した後、ワッシャ３６を介在させ、ナット３９を螺合させて連結する。この後、ナット３９のネジ込み量を調整して上下に積み重ねられたコンクリートブロック３を締め付ける。
【００３９】
最後に、コンクリートブロック３の上部に配設された係止用金具３５ａの凸状部に、笠置きブロック４５の端部側に偏って埋め込まれた笠置きブロック４５の固定用の係止部材４７を係止用金具３５ａの係止孔４９に係止した後、図中６に矢印に示す方向に笠置きブロック４５を引っ張ることにより、笠置きブロック４５がコンクリートブロック３の上端部５に固定される。
【００４０】
なお、コンクリートブロック３間には、シリコン状の接着剤を塗布し、コンクリートブロック３をゆっくりと積み重ねる。
【００４１】
【発明の効果】
以上説明したように本発明においては、市販されているコンクリートブロックを上下に積み重ねた後、連結金具を用いて連結することにより木や花などを植えることのできる大型のプランターやコンクリートブロックとして利用することが容易にできる。また、市販の各コンクリートブロック毎にバラすことができるため、従来のようにコンクリートブロック製構造物の運搬に人手を要することもなく、さらにコンクリートブロック製プランターやコンクリートブロックの連結金具を取り外すことにより、コンクリートブロックを傷つけることなく、再利用が可能となる。
【図面の簡単な説明】
【図１】本発明におけるコンクリートブロック製プランターの斜視図である。
【図２】本発明におけるコンクリートブロック製プランターの分解図である。
【図３】笠置きブロック取り付け孔を有した連結金具を用いた場合のコンクリートブロック塀の斜視図である。
【図４】コンコリートブロックをアンカーボルトとネジ棒が一本で構成されている連結金具で連結した塀の斜視図である。
【図５】コンコリートブロックを連結金具のみで連結した塀の斜視図である。
【図６】笠置きブロック取り付け孔を有した連結金具の正面図である。
【図７】アンカーボルト付き連結金具の正面図である。
【図８】コンクリート製型枠にモルタルを流し込んでコンクリート製プランターを作る場合の説明図である。
【図９】一部を破断した従来のコンクリート製プランターの斜視図である。
【符号の説明】
１        コンコリートブロック製プランター
３（Ａ，Ｂ）      コンコリートブロック
５        上端部
７        下端部
９        溝
１１      周回路
１２      連結金具
１３（Ａ、Ｂ）      連結用枠
１３ａ    穿設孔
１４      ワッシャ
１５      ネジ棒
１７      貫通開口部
２１      ナット
２３      底部部材
２５      ナット
２７      脚用短管
２９      コンクリートブロック塀
３０      連結金具
３２ａ      頭部
３２ｂ      他端部
３３ａ      頭部
３３ｂ      他端部
３２        ネジ棒
３３          ネジ棒
３５（ａ、ｂ）      係止用金具
３６      ワッシャ
３７      枠状連結金具
３９      ナット
４１        アンカーボルト
４３        ナット
４５        笠置きブロック
４７        係止部材
４９        係止孔
５１        ネジ
５３        連接棒または連接板
１００      コンクリート製プランター
１０２      内型枠
１０４      外型枠
１０６      鉄筋
１０８      水抜き孔
【図１】
2005068637.tif 000003
【図２】
2005068637.tif 000004
【図３】
2005068637.tif 000005
【図４】
2005068637.tif 000006
【図５】
2005068637.tif 000007
【図６】
2005068637.tif 000008
【図７】
2005068637.tif 000009
【図８】
2005068637.tif 000010
【図９】
2005068637.tif 000011